(57)【特許請求の範囲】
【請求項１】
透光性を有し被加熱物を載置するためのトッププレートと、
前記トッププレートの下方に略同一平面状に配置された複数の加熱コイルと、
前記加熱コイルの加熱の開始や停止や火力設定の指示を入力する加熱操作部と、
前記複数の加熱コイルを制御するインバータ部と、
前記加熱操作部に入力された指示に基づき、前記インバータ部を制御する制御部と、
誘導加熱部の位置、大きさ、数量の少なくともいずれか１つを調整するために、複数の加熱コイルのうち、通電可能な加熱コイルと通電不可能な加熱コイルを選定し、トッププレート上に加熱可能領域と、加熱不可能領域を形成する加熱コイルパターン情報を記憶した情報記憶部と、
前記情報記憶部に記憶した複数の前記加熱コイルパターン情報から１つの前記加熱コイルパターン情報を選択する選択手段と、
前記トッププレートの下方に設けられ前記選択手段によって選択された前記加熱コイルパターン情報に基づいて形成される前記加熱可能領域を前記トッププレートの前記通電可能な加熱コイル上に表示する光表示手段とを備え、
前記制御部は、前記加熱操作部に入力された指示に基づき、前記選択手段で選択した加熱コイルパターン情報で通電可能とされた加熱コイルのうち、１つの誘導加熱部を構成する少なくとも１つの加熱コイル群を同じ駆動周波数で、且つ他の誘導加熱部を構成する少なくとも１つの加熱コイル群の駆動周波数と所定の周波数差以上となるように駆動制御すると共に、前記インバータ部が前記加熱コイルを駆動制御時は前記選択手段の操作を無効とすることを特徴とした電磁調理器。
【請求項２】
１つの誘導加熱部を複数の加熱コイルで形成する場合には、前記１つの誘導加熱部を構成する複数の加熱コイルを略同時に加熱動作または停止するように、前記制御部は、前記インバータ部を制御することを特徴とした請求項１に記載の電磁調理器。
【請求項３】
複数の加熱コイルを制御するインバータ部に、複数の加熱コイルと商用電源とを接続／切断する少なくとも１つ以上の半導体スイッチを備えたインバータ回路を設け、前記半導体スイッチの導通時間を変化することを特徴とした請求項１または２に記載の電磁調理器。
【請求項４】
１つの選択手段を操作するごとに、前記選択する加熱コイルパターン情報を切り替えることを特徴とした請求項１〜３のいずれか１項に記載の電磁調理器。
【発明の詳細な説明】
【技術分野】
【０００１】
本発明は、一般家庭やオフィス、レストランなどで使用される電磁調理器に関するものである。
【背景技術】
【０００２】
従来、この種の電磁調理器は、１つの被加熱物に対して渦巻き形に形成された１つの加熱コイルを備え、１つの加熱コイルを高周波インバータで駆動・制御することで火力調節を行うものである（例えば、特許文献１参照）。
【０００３】
また、加熱面積が大小２種類の被加熱物に対応するように分割した加熱コイルを設け、大小の被加熱物を選択する操作キーの操作内容に応じて、被加熱物の大小に合わせた加熱を行うものも知られている（例えば、特許文献２参照）。
【先行技術文献】
【特許文献】
【０００４】
【特許文献１】特開２００４−０３１２４７号公報
【特許文献２】特開平５−４７４６３号公報
【発明の概要】
【発明が解決しようとする課題】
【０００５】
しかしながら、特許文献１に記載の従来技術では加熱コイルと被加熱物の大きさが異なると、漏洩磁束が増加して加熱効率が低下したり、加熱分布が偏り調理性能が低下したりするため、被加熱物の大きさが制限されるといった課題がある。
【０００６】
また特許文献２に記載の従来技術では、大小２種類の被加熱物に対応するように分割した加熱コイルを設け、大小の被加熱物を選択する操作キーで加熱面積を選択できるが、小の被加熱物を加熱するとき、もう一方の加熱コイルは無駄になってしまう。そのため、この従来技術を誘導加熱部が多数ある多口の電磁調理器に用いると、一方は大小の被加熱物を選択できる代わりに、もう一方は加熱コイルの設置スペースが確保出来なくなり、小の被加熱物しか加熱できなくなるといった課題を有している。
【０００７】
また、複数の加熱コイルを同時に動作させると、複数の加熱コイルそれぞれの駆動周波数差に起因する干渉音が発生するという問題も有している。
【０００８】
本発明は、前記従来の課題を解決するもので、通電可能な加熱コイルの位置、大きさ、数量を変化させることにより、２口以上の誘導加熱部の位置、大きさ、数量を変化させることが可能となるだけでなく、干渉音を抑制しつつ電力制御を行うことができる電磁調理器を提供することを目的とする。
【課題を解決するための手段】
【０００９】
従来の課題を解決するために、本発明の電磁調理器は、透光性を有し被加熱物を載置するためのトッププレートと、前記トッププレートの下方に略同一平面状に配置された複数の加熱コイルと、前記加熱コイルの加熱の開始や停止や火力設定の指示を入力する加熱操作部と、前記複数の加熱コイルを制御するインバータ部と、前記加熱操作部に入力された指示に基づき、前記インバータ部を制御する制御部と、誘導加熱部の位置、大きさ、数量の少なくともいずれか１つを調整するために、複数の加熱コイルのうち、通電可能な加熱コイルと通電不可能な加熱コイルを選定し、トッププレート上に加熱可能領域と、加熱不可能領域を形成する加熱コイルパターン情報を記憶した情報記憶部と、前記情報記憶部に記憶した複数の前記加熱コイルパターン情報から１つの前記加熱コイルパターン情報を選択する選択手段と、前記トッププレートの下方に設けられ前記選択手段によって選択された前記加熱コイルパターン情報に基づいて形成される前記加熱可能領域を前記トッププレートの前記通電可能な加熱コイル上に表示する光表示手段とを備え、前記制御部は、前記加熱操作部に入力された指示に基づき、前記選択手段で選択した加熱コイルパターン情報で通電可能とされた加熱コイルのうち、１つの誘導加熱部を構成する少なくとも１つの加熱コイル群を同じ駆動周波数で、且つ他の誘導加熱部を構成する少なくとも１つの加熱コイル群の駆動周波数と所定の周波数差以上となるように駆動制御すると共に、前記インバータ部が前記加熱コイルを駆動制御時は前記選択手段の操作を無効とするものである。
【００１０】
これによって、２口以上の誘導加熱部の位置を調整することが可能となるだけでなく、干渉音を抑制しつつ電力制御を行うことができる。
【発明の効果】
【００１１】
本発明の電磁調理器は、通電可能な加熱コイルと通電不可能な加熱コイルの組合せパターンを選択手段で選択することが可能となり、誘導加熱部の位置、大きさ、数量のいずれかを変化させることが可能となるだけでなく、干渉音を抑制しつつ電力制御を行うことができるようになる。
【図面の簡単な説明】
【００１２】
【図１】本発明の第１の実施の形態における電磁調理器１の外観図
【図２】本発明の第１の実施の形態における電磁調理器１の回路図
【図３】本発明の第１の実施の形態における情報記憶部の記憶データを示す図
【図４】本発明の第１の実施の形態における光表示手段の構成図
【図５】本発明の第１の実施の形態における電磁調理器１のインバータ部の回路図
【図６】本発明の第１の実施の形態における加熱操作部の構成図
【図７】本発明の第１の実施の形態における複数の加熱コイル７と、トッププレート１０上に形成した加熱可能領域、加熱不可能領域の関係図
【図８】本発明の第１の実施の形態における加熱可能領域のパターンの変換図
【図９】本発明の第１の実施の形態における加熱可能領域Ａ２７の下方に位置する９個の加熱コイルの電流波形図
【図１０】本発明の第１の実施の形態における加熱可能領域Ｃ２９の下方に位置する４個の加熱コイルの電流波形図
【図１１】本発明の第１の実施の形態における誘導加熱部Ａ２７で鉄鍋を加熱した場合、下方の９個の加熱コイルを駆動制御するインバータ回路４の第１のスイッチング素子１７のゲート電圧信号と加熱コイル７の電流波形図
【図１２】本発明の第１の実施の形態における誘導加熱部Ｃ２９で非磁性ステンレス鍋を加熱した場合、下方の４個の加熱コイルを駆動制御するインバータ回路４の第１のスイッチング素子１７のゲート電圧信号と加熱コイルの電流波形図
【発明を実施するための形態】
【００１３】
第１の発明は、透光性を有し被加熱物を載置するためのトッププレートと、前記トッププレートの下方に略同一平面状に配置された複数の加熱コイルと、前記加熱コイルの加熱の開始や停止や火力設定の指示を入力する加熱操作部と、前記複数の加熱コイルを制御するインバータ部と、前記加熱操作部に入力された指示に基づき、前記インバータ部を制御する制御部と、誘導加熱部の位置、大きさ、数量の少なくともいずれか１つを調整するために、複数の加熱コイルのうち、通電可能な加熱コイルと通電不可能な加熱コイルを選定し、トッププレート上に加熱可能領域と、加熱不可能領域を形成する加熱コイルパターン情報を記憶した情報記憶部と、前記情報記憶部に記憶した複数の前記加熱コイルパターン情報から１つの前記加熱コイルパターン情報を選択する選択手段と、前記トッププレートの下方に設けられ前記選択手段によって選択された前記加熱コイルパターン情報に基づいて形成される前記加熱可能領域を前記トッププレートの前記通電可能な加熱コイル上に表示する光表示手段とを備え、前記制御部は、前記加熱操作部に入力された指示に基づき、前記選択手段で選択した加熱コイルパターン情報で通電可能とされた加熱コイルのうち、１つの誘導加熱部を構成する少なくとも１つの加熱コイル群を同じ駆動周波数で、且つ他の誘導加熱部を構成する少なくとも１つの加熱コイル群の駆動周波数と所定の周波数差以上となるように駆動制御すると共に、前記インバータ部が前記加熱コイルを駆動制御時は前記選択手段の操作を無効とすることにより、通電可能な加熱コイルと通電不可能な加熱コイルの組合せパターンを選択手段で選択することが可能となり、誘導加熱部の位置、大きさ、数量の少なくともいずれか１つを変化させることが可能となるだけでなく、干渉音を抑制しつつ電力制御を行うことができるようになる。特に、駆動部が停止している時のみ選択手段を操作可能とすることにより、調理の失敗や意図していない鍋が空焼きされて不安全になることを防ぐことが可能となるようにできる。
【００１４】
第２の発明は、特に、第１の発明の電磁調理器において、１つの誘導加熱部を複数の加熱コイルで形成する場合には、前記１つの誘導加熱部を構成する複数の加熱コイルを略同時に加熱動作または停止するように、前記制御部は、前記インバータ部を制御することにより、複数の加熱コイルを１つの加熱コイルとして動作させることが可能となり、使用者が複数の加熱コイルそれぞれを操作する必要がなくなり、操作回数を減らして使いやすい調理器を供給することができる。
【００１５】
第３の発明は、特に、第１または２の発明の電磁調理器において、複数の加熱コイルを制御するインバータ部に、複数の加熱コイルと商用電源とを接続／切断する少なくとも１つ以上の半導体スイッチを備えたインバータ回路を設け、前記半導体スイッチの導通時間を変化することにより、通電可能と設定された加熱コイルへの電力供給時間を制御することができるようになり、干渉音を抑制しつつ電力制御できる。
【００１６】
第４の発明は、特に、第１〜３のいずれか１つの発明の電磁調理器において、１つの選択手段を操作するごとに、前記選択する加熱コイルパターン情報を切り替えることにより、１つの選択手段を操作することで使用者が調理メニューに必要な誘導加熱部の位置、大きさ、数量を選択することが可能となり、操作を簡単にすることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における電磁調理器１の外観図を示すものである。また、図２は、本発明の第１の実施の形態における電磁調理器１の電力変換回路の回路図を示すものである。図３は、本発明の第１の実施の形態における情報記憶部の記憶データを示すものである。  また、図４は、本発明の第１の実施の形態における光表示手段の構成図を示すものである。  図５は、本発明の第１の実施の形態における電磁調理器１のイ
ンバータ部の回路図を示すものである。  また、図６は、本発明の第１の実施の形態における加熱操作部の構成図を示すものである。
【００１９】
図１、２に示す電磁調理器１は、２００Ｖ商用電源２より整流回路・力率改善回路などを包含するフィルタ回路部３を介して、所定のタイミングでオン・オフするスイッチング素子により所定の周波数の高周波電力を発生させるインバータ回路４と、複数のインバータ回路４からなるインバータ部５と、インバータ部５を駆動・制御する制御部６と、高周波電力により高周波磁束を発生させる複数の加熱コイル７と、略同一平面上に配置された複数の加熱コイル７からなる加熱コイル部８と、加熱コイル部に供給される出力電力を検知する出力電力検知手段９と、複数の加熱コイル７の上方に配置される硬質ガラス製のトッププレート１０と、トッププレート１０の上方に配置される被加熱物１１と、使用者が出力電力または温度を調節するための加熱操作部１２と、出力設定と温度と自動調理メニューなどの状態を表示する表示手段１３と、２口以上の誘導加熱部または１口の誘導加熱部の位置、大きさ、数量の少なくともいずれかを調整するために、複数の加熱コイル７のうち、通電可能な加熱コイル７と通電不可能な加熱コイル７を選定する情報である加熱コイルパターン情報を複数個記憶した情報記憶部１４と、加熱操作部１２とは異なる位置に、情報記憶部１４に記憶した複数の加熱コイルパターン情報から１つの加熱コイルパターン情報を選択する選択手段１５とを有する。
【００２０】
図３に示すように、情報記憶部１４には、加熱コイルパターン情報が記憶されている。この情報記憶部１４のマイクロコンピュータには、通電可能な加熱コイルと通電不可能な加熱コイルを選定し、トッププレート上に加熱可能領域と、加熱不可能領域を形成する複数の加熱コイルパターン情報が記憶されており、本実施の形態においては、図３（ａ）〜（ｄ）に示す４つのパターンが記憶されているものである。さらにその他の組合せを増やすことにより、様々な調理メニューに応じた加熱可能領域を供給することができるようになり、使い勝手を向上させることができるのは言うまでもない。また情報記憶部１４のマイクロコンピュータは何度でも書き換えることができるフラッシュタイプにすることにより、加熱コイルパターン情報を追加／削除できるようになり、使用者の使用状況に合わせることが可能となる。
【００２１】
さらに、図４に示すように、電磁調理器１は、トッププレート１０の下方に配置される導光部１６ａと、トッププレート１０を透過する光を発生させる発光部１６ｂを有し、選択手段１５によって選択された加熱コイルパターン情報に基づいて形成される加熱可能領域の外周部をトッププレート１０上に表示させる光表示手段１６ｃを示すものである。制御部６は、発光部１６ｂも制御している。そして、選択手段１５で選択された情報記憶部１４に記憶されている加熱コイルパターン情報に基づいて、制御部６は、発光部１６ｂを制御し、トッププレート１０上に加熱可能領域を表示させる。
【００２２】
また、電磁調理器１は、図１に示すように、２００Ｖ商用電源２とフィルタ回路部３を接続／切断する主電源スイッチ１７とを有している。
【００２３】
ここで、誘導加熱部とは、一つの加熱可能領域を構成する通電可能な加熱コイル７群を意味する。
【００２４】
図５に示すインバータ回路４は、第１のスイッチング素子１７のコレクタをフィルタ回路部３の出力の高電位側に接続し、第２のスイッチング素子１８のコレクタを第１のスイッチング素子１７のエミッタに接続し、第２のスイッチング素子１８のエミッタをフィルタ回路部３の出力の低電位側に接続し、スナバコンデンサ１９を第２のスイッチング素子１８のコレクタ−エミッタ間に接続し、加熱コイル７と共振コンデンサ２１と出力電力検知部９の直列回路をスナバコンデンサ１９の両端に接続し、制御部６からの加熱開始、火
力調整、加熱停止信号と、出力電力検知部９の検知結果とを受信する導通比設定部２０の出力を第１のスイッチング素子１７および第２のスイッチング素子１８のゲートに接続した構成としている。
【００２５】
加熱コイル７への出力電力は加熱操作部１２の操作内容に基づいて制御部６から送られてくる加熱開始、火力調整、加熱停止信号を導通比設定部２０が受信して、出力電力検知部９の検知結果と比較しながら第１のスイッチング素子１７と第２のスイッチング素子１８の導通比およびスイッチング周波数を設定して加熱動作を制御する。
【００２６】
通常、図２に示すように１個のフィルタ回路部３を、４０個の加熱コイルと１対１で構成するインバータ回路４で共有することにより、部品点数を削減して小型で安価な電磁調理器を実現している。なお、本実施の形態では加熱コイルを４０個、インバータ回路を４０個としているが、インバータ回路をＮ個設ければ、Ｎ個の加熱コイルを接続することができるようになり、加熱コイル数を増やせば、さらに細かい調理シーンに対応できる誘導加熱部の位置、大きさ、数量を設定することができるようになり、調理性能を向上させることができる。
【００２７】
また、１つのインバータ回路に対して２つ以上の加熱コイルを並列接続する構成とすることにより、インバータ回路数を加熱コイル数より少なくすることが可能となり、安価で小型な電磁調理器を供給することができる。しかし、複数の加熱コイルを独立制御することができないため、本実施の形態では図２に示すように、複数の加熱コイル７と１対１となるインバータ回路を接続した構成とすることによって、加熱コイルそれぞれを独立制御できるようになり、鍋底の温度分布を均一にして調理性能を向上させることができる。従って、本実施の形態における電磁調理器１は、第１の加熱コイル７（１）から第４０の加熱コイル７（４０）を、それぞれ第１のインバータ回路４（１）から第４０のインバータ回路４（４０）で個別に駆動制御することができる。なお、本実施の形態におけるインバータ回路４はシングルエンデッドプッシュプル方式のインバータを用いているが、ブリッジ方式のインバータを適用することができるのは言うまでもない。
【００２８】
また、加熱操作部１２には少なくとも２つ以上の誘導加熱部を操作できる操作部数を備えており、本実施の形態の加熱操作部１２は、図６に示すように、各加熱可能領域に対応できるように、第１の加熱操作部１２ａ、第２の加熱操作部１２ｂ、第３の加熱操作部１２ｃの３つの操作部で構成されている。
【００２９】
各操作部は、「加熱入切」キー２２、「出力アップ」キー２３、「出力ダウン」キー２４、「調理メニュー」キー２５、「タイマー」キー２６を備えている。
【００３０】
さらに、図７に、複数の加熱コイル７と、トッププレート１０上に形成した加熱可能領域と、加熱不可能領域の関係図を示す。
【００３１】
図７に示すように、複数の加熱コイル７を直径７０ｍｍの渦巻き型の円形状としているが、その他の形状、例えば長方形、楕円形、多角形、またはそれらの組合せとすることも可能である。また、複数の加熱コイル７は横方向に８列、縦方向に５行の合計４０個としているが増減しても問題ない。さらに複数の加熱コイル７を縦横に整列した配置としているが、整列していない配置としても問題ない。従って、加熱コイルの形状を円形、長方形、楕円形、多角形、またはそれらの組合せとし、複数の加熱コイルを略同一平面状に隙間なく配置することにより、温度分布を均一にすることが可能なだけでなく、楕円径などの異形の鍋底に適した誘導加熱部の形状を供給することができるようになる。
【００３２】
また、加熱操作部１２は静電容量を検知するタッチキーとすることにより、メカ式スイ
ッチに比べて劣化することがなく、電磁調理器の耐久性を向上させることができる。しかし、プッシュスイッチキーや音声キーなどで代替しても問題ない。
【００３３】
さらに、電力変換回路のフィルタ回路部３のあとに昇圧／降圧／昇降圧回路を備えたシステムとしてもよく、インバータ回路の動作周波数を固定して、インバータ電源を昇圧／降圧することにより火力調節することが可能となる。
【００３４】
また、本実施の形態における光表示部１６ｃは発光部１６ｂにＬＥＤを用いているが、レーザーや蛍光管など異なる発光デバイスを用いてもよい。
【００３５】
以上のように構成された電磁調理器１において、以下その動作、作用を説明する。
【００３６】
使用者が電磁調理器１の主電源スイッチ１７をオンにして２００Ｖ商用電源２とフィルタ回路部３を接続すると、図２に示す電力変換回路に通電する。このとき、制御部６は情報記憶部１４から加熱コイルパターン情報の初期値に設定されている加熱コイルパターン情報（ａ）を読み込み、制御部６は、発光部１６ｂを制御し、トッププレート１０上に、図８（ａ）に示す加熱可能領域を表示させる。また、前回使用した加熱コイルパターン情報を、情報記憶部１４で加熱コイルパターン情報の初期値に設定することにより、使用頻度が高い加熱可能領域のパターンを初期パターンとすることができるようになり、使用者が毎回選択する手間を省いて使い勝手を向上させることができる。
【００３７】
本実施の形態の電磁調理器１は、トッププレート１０上の加熱操作部１２の近傍に配置された選択手段１５が使用者により操作されると、制御部６が情報記憶部１４から所定の順番で加熱コイルパターン情報を読み出して、複数の加熱コイル７のうち、通電可能な加熱コイル７と通電不可能な加熱コイル７を選定し、誘導加熱部の位置、大きさ、数量を調整し、トッププレート１０上に、使用者の希望に応じた  加熱可能領域と、加熱不可能領域を形成する。
【００３８】
そして、光表示手段１６ｃにより、トッププレート上の加熱可能領域を使用者に視認させる。本実施の形態では、情報記憶部１４から、加熱コイルパターン情報を（ａ）、（ｂ）、（ｃ）、（ｄ）の順番に読み出すように設定し、制御部６は情報記憶部１４から加熱コイルパターン情報（ａ）、（ｂ）、（ｃ）、（ｄ）の順番に読み込み、制御部６は、発光部１６ｂを制御し、トッププレート１０上に、図８（ａ）、（ｂ）、（ｃ）、（ｄ）の順番に加熱可能領域を表示させる。
【００３９】
使用者は、選択手段１５によって、加熱コイルパターン情報を選定し、トッププレート１０上に表示される加熱可能領域を視認しながら調理メニューに最適なパターンを選択する。
【００４０】
つまり、選択手段１５によって、加熱コイルパターン情報を選定することにより、図８（ａ）で示す３つの加熱可能領域を形成する３つの誘導加熱部から、図８（ｂ）で示す３つの加熱可能領域を形成する３つの誘導加熱部へ、誘導加熱部の位置、大きさを調整する。また、図８（ｂ）で示す３つの加熱可能領域を形成する３つの誘導加熱部から図８（ｃ）で示す１つの加熱可能領域を形成する１つの誘導加熱部へ、誘導加熱部の位置、大きさ、数量を調整する。また、図８（ｃ）で示す１つの加熱可能領域を形成する１つの誘導加熱部から図８（ｄ）で示す２つの加熱可能領域を形成する２つの誘導加熱部へ、誘導加熱部の位置、大きさ、数量を調整する。
【００４１】
使用者は、選択手段１５で選択することによって、調理メニューに最適な加熱可能領域が表示されると、使用したい誘導加熱部上に鍋やフライパンなどの被加熱物１１を置いて
、対応する加熱操作部１２の「加熱入切」キー２２を操作して加熱を開始する。
【００４２】
図８（ａ）で示されている加熱可能領域Ａ２７を形成する誘導加熱部を第１加熱操作部１２ａで操作し、図８（ａ）で示されている加熱可能領域Ｂ２８を形成する誘導加熱部を第２加熱操作部１２ｂで操作し、図８（ａ）で示されている加熱可能領域Ｃ２９を形成する誘導加熱部を第３加熱操作部１２ｃで操作するとする。
【００４３】
加熱可能領域Ａ２７を形成する誘導加熱部を使用する場合、第１の加熱操作部１２ａの「加熱入切」キー２２で加熱を開始して、調理状況にあわせて「出力アップ」キー２３、「出力ダウン」キー２４、「調理メニュー」キー２５、「タイマー」キー２６を操作して調理する。同様に、加熱可能領域Ｂ２８を形成する誘導加熱部を使用する場合は第２の加熱操作部１２ｂを用い、加熱可能領域Ｃ２９を形成する誘導加熱部を使用する場合は第３の加熱操作部１２ｃを用いて操作をする。
【００４４】
図８（ｃ）および（ｄ）に対応する誘導加熱部のように、誘導加熱部数が操作部数より少ない場合、３つの加熱操作部１２ａ〜ｃのいずれかに割り当てればよい。
【００４５】
制御部６は選択されている加熱コイルパターン情報に基づいて少なくとも１つ以上の加熱コイルを１つの誘導加熱部として、略同時に加熱開始、火力調整、加熱停止する。
【００４６】
図８（ａ）における誘導加熱部Ａ２７の下方には、図７に示すように９個の加熱コイル７（１）〜（９）、誘導加熱部Ｂ２８は下方には９個の加熱コイル７（１０）〜（１８）、誘導加熱部Ｃ２９は下方には４個の加熱コイル７（１９）〜（２２）  が位置しており、それぞれを略同時に加熱開始、火力調整、加熱停止するものである。例えば、図８（ａ）における誘導加熱部Ａ２７で鉄製の鍋を火力５００Ｗ設定で加熱した場合、下方の加熱コイル７（１）〜（９）に流れる電流波形は図９に示すようになり、図８（ａ）における誘導加熱部Ｃ２９で鉄製の鍋を火力５００Ｗ設定で加熱した場合、下方の加熱コイル７（１９）〜（２２）に流れる電流波形は図１０に示すようになり、それぞれ略同時に加熱停止するものである。
【００４７】
さらに制御部６は、図９または図１０に示すように、通電可能と判定された加熱コイルのうち、誘導加熱部Ａ２７を構成する加熱コイル７（１）〜（９）を同じ駆動周波数（ｆＡ  ＝２５ｋＨｚ）で、且つ他の誘導加熱部Ｃ２９を構成する加熱コイル７（１９）〜（２２）の駆動周波数（ｆＣ  ＝４５ｋＨｚ）で駆動し、ｆＡとｆＣが可聴周波数（約２０ｋＨｚ）以上となるように設定することにより、２つ以上の加熱コイルが異なる駆動周波数で動作しても、周波数差に起因して発生する干渉音を抑制することが可能となる。
【００４８】
さらに制御部６は、通電可能と判定された加熱コイルのうち、１つの誘導加熱部を構成する少なくとも１つ以上の加熱コイル群を同じ駆動周波数で駆動制御する。図８（ａ）における誘導加熱部Ａ２７で鉄鍋を加熱した場合、下方の９個の加熱コイルを駆動制御するインバータ回路４（１）〜（９）の第１のスイッチング素子１７（１）〜（９）のゲート電圧信号と加熱コイル７（１）〜（９）電流の波形図を図１１に示す。図１１（ａ）は入力電力が５００Ｗ設定のとき、図１１（ｂ）は入力電力設定が３０００Ｗのときの波形である。図１１（ａ），（ｂ）では第１のスイッチング素子１７（１）〜（９）のスイッチング周波数は同じで、導通時間Ｔｏｎを変化させて入力電力を調整しており、図１１では５００Ｗ時に８μｓであった導通時間を、３０００Ｗ時に１８μｓに変化させている。
【００４９】
また、非磁性ステンレス鍋を図８（ａ）の誘導加熱部Ｃ２９で加熱した場合、下方の４個の加熱コイルを駆動制御するインバータ回路４（１９）〜（２２）の第１のスイッチング素子１７（１９）〜（２２）のゲート電圧信号と加熱コイル電流の波形図を図１２に示
す。図１２（ａ）は入力電力が５００Ｗ設定のとき、図１２（ｂ）は入力電力設定が３０００Ｗのときの波形である。図１２（ａ）、（ｂ）では第１のスイッチング素子１７（１９）〜（２２）のスイッチング周波数は同じで、導通時間Ｔｏｎを変化させて入力電力を調整しており、図１２では５００Ｗ時に１２μｓであった導通時間を、３０００Ｗ時に２０μｓに変化させている。
【００５０】
さらに、図８（ａ）で加熱可能領域Ａ２７、Ｂ２８、Ｃ２９以外の加熱不可能領域の下方に位置する加熱コイルは通電しないため、加熱したくない鍋、フタ、ナイフなどの置き場所（退避場所）として用いることができる。図８（ｂ）〜（ｃ）についても同様である。さらに光表示手段１６ｃで加熱可能領域を視認できるようにすることで、加熱したくない鍋、フタ、ナイフなどの置き場所（退避場所）が明確になっており、使用者の意向に反する鍋が加熱されて空焼きによる発火などを防ぐことが可能となり、使い勝手と安全性を向上させることができる。
【００５１】
また、光表示手段１６ｃによってトッププレート１０上に表示される少なくとも１つ以上の加熱可能領域のうち、１つ以上の加熱可能領域が加熱動作している間、すなわちインバータ部５が駆動している時は、誤って選択手段１５に触れてしまい使用者の意図に反して誘導加熱部の位置、大きさ、数量が変わらないように選択手段１５の操作を無効としている。すなわち、インバータ部５が停止している時のみ選択手段１５を操作可能とすることにより、調理の失敗や意図していない鍋が空焼きされて不安全になることを防ぐことが可能となる。
【００５２】
以上のように、本実施の形態の電磁調理器１は、誘導加熱部の位置、大きさ、数量のいずれか少なくともいずれかを調整することにより、使用者が加熱可能領域の位置、大きさ、数量の少なくともいずれかを調整することにより、使いやすい位置で被加熱物を加熱したり、使いたい被加熱物の大きさに合わせて加熱したり、使いたい被加熱物の数量に合わせて加熱することができるようになるだけでなく、加熱不可能領域の位置、大きさ、数量の少なくともいずれかを調整することにより、使用者が調整した加熱不可能領域に加熱しない被加熱物を退避させることで、使用者の意向に反して鍋が加熱されてしまい、調理の失敗や空焼きによる発火など不安全になることを防ぐことが可能となり、使い勝手と安全性を向上させることができる。
【００５３】
さらに、干渉音を抑制しつつ電力制御を行うことができる。
【００５４】
また、本実施の形態では、特に、１つの誘導加熱部を複数の加熱コイルで形成する場合には、前記１つの誘導加熱部を構成する複数の加熱コイルを略同時に加熱動作または停止するように、前記制御部は、前記インバータ部を制御することにより、複数の加熱コイルを１つの加熱コイルとして動作させることが可能となり、使用者が複数の加熱コイルそれぞれを操作する必要がなくなり、操作回数を減らして使いやすい調理器を供給することができる。
【００５５】
また、本実施の形態では、加熱コイルパターン情報（ｃ）に示す、全ての加熱コイル７を加熱可能と選定し、１口の誘導加熱部を形成するために、トッププレート１０上に１つの加熱可能領域を形成する加熱コイルパターン情報を記憶したことにより、被加熱物が置載されるトッププレートの全面を加熱可能領域とすることが可能となり、大きい加熱面積が必要な調理メニュー（例えば、鉄板焼きなど）でも被加熱物の底面を均一に加熱することができるようになり、調理性能を向上することができる。
【００５６】
また、本実施の形態では、インバータ部５の第１のスイッチング素子２６の導通時間を変化させることで、加熱コイル８と商用電源２とを接続／切断する時間を変化させること
により、通電可能と設定された加熱コイル８への電力供給時間を制御することができるようになり、干渉音を抑制しつつ電力制御できる。
【００５７】
また、本実施の形態では、選択手段１５を操作するごとに、選択する加熱コイルパターン情報を切り替えることにより、選択手段１５を操作することで使用者が調理メニューに必要な誘導加熱部の位置、大きさ、数量を選択することが可能となり、操作を簡単にすることができる。
【００５８】
また、本実施の形態では、インバータ部５が停止している時のみ選択手段１５を操作可能としたことにより、加熱中に使用者が誤って選択手段１５を操作しても誘導加熱部の位置、大きさ、数量が変化しないようにすることにより、使用者の意向に反する鍋が加熱されたり、調理失敗したり、空焼きによる発火など不安全になることを抑制可能となり、使い勝手と安全性を向上させることができる。
【００５９】
また、本実施の形態では、光表示手段１６を備え、トッププレート１０上に少なくとも１つ以上の加熱可能領域を表示することにより、使用者に加熱可能領域の位置、形状、数量を視認させることが可能となる。
【産業上の利用可能性】
【００６０】
以上のように、本発明にかかる電磁調理器１は、加熱コイルパターン情報で通電可能とされた加熱コイルのうち、１つの誘導加熱部を構成する少なくとも１つ以上の加熱コイル群を同じ駆動周波数で、且つ他の誘導加熱部を構成する少なくとも１つ以上の加熱コイル群の駆動周波数と所定の周波数差以上となるように駆動制御することにより、干渉音を発生することなく、２口以上の誘導加熱部の位置、大きさ、数量を調整することが可能となり、一般家庭、オフィスだけでなくレストラン等の専門家の用途にも適応可能である。
【符号の説明】
【００６１】
１  電磁調理器
５  インバータ部
６  制御部
７  加熱コイル
９  出力電力検知手段
１２  加熱操作部
１４  情報記憶部
１５  選択手段
１６Ｃ  光表示手段
【図２】
0005573036.tif 000002
【図５】
0005573036.tif 000003
【図７】
0005573036.tif 000004
【図９】
0005573036.tif 000005
【図１０】
0005573036.tif 000006
【図１１】
0005573036.tif 000007
【図１２】
0005573036.tif 000008
【図１】
0005573036.tif 000009
【図３】
0005573036.tif 000010
【図４】
0005573036.tif 000011
【図６】
0005573036.tif 000012
【図８】
0005573036.tif 000013